Podtech/llm-jp-corpus-v4-ja_patent huggingface dataset:
(57)【要約】      （修正有）【課題】点灯しているロウソクの転倒及び消し忘れによる火災を防止するための装置を提供する。【解決手段】ロウソクの炎を覆い窒息消火する消火装置であって、ロウソク９を窒息消火用の筒２、３で覆い筒２、３の上部に設置した球状の錘６が落下した時に筒２、３を引き上げ筒２、３が、ロウソクの炎１０を覆い窒息消火する。【選択図】図４
2022002202.tif 000002
【特許請求の範囲】
【請求項１】
ロウソク（９）を窒息消火用の筒（２）、（３）で覆い筒（２）、（３）の上部に設置した錘（６）が落下した時に筒（２）、（３）を引き上げ筒（２）及び筒（３）がロウソクの炎（１０）を覆い窒息消火することを特徴とする消火装置。
【請求項２】
窒息消火用の筒（２）、（３）及び滑車（５）及び錘（６）を上下に移動する構造。
【請求項３】
窒息消火用の筒（２）の中に筒（３）が内蔵され筒（２）が上に移動時に筒（３）が筒（２）から落下し筒（２）の下方で固定される構造。
【発明の詳細な説明】
【技術分野】
【０００１】  この発明は、ロウソク点灯後のロウソク立ての転倒及びロウソクの炎の消し忘れ時に自動的に消灯する装置に関するものである。
【背景技術】
【０００２】  火災防止及び取扱いが容易との事で、ロウソクの炎の代わりにＬＥＤ等の発光体を炎の形状に加工した樹脂等に内蔵した疑似ロウソクの需要が増えているが特に仏事では、線香や花と共にロウソクの炎はお参りに欠かせない仏具であり神仏に供えるものとして灯明と呼ばれ昔から大切にされてきた。線香をあげる時は、ロウソクの炎を使うのはマナーといわれているため疑似ロウソクで代用するのは味気無いものである。しかしロウソクの炎による火災の心配が常にあった。
【発明の開示】
【発明が解決しようとする課題】
【０００３】  これには、次のような欠点があった。
ロウソクの炎は高温（約１４００℃）でありロウソク立てが、風や振動等により転倒し周囲の可燃物に着火したり、ロウソクの炎の消し忘れにより周囲が高温になり可燃物に燃え移り出火する場合がある。消防白書ではロウソクの炎による火災の約半分は上記が原因と報告されている。
本発明は、以上のような事故を少しでもなくすために考案されたものである。
【課題を解決するための手段】
【０００４】  本発明品は、消火の３要素のうちの窒息消火を利用して、ロウソクの炎を消火するものである。ロウソク立て（１４）に取付けたロウソク（９）が傾斜した時に滑車（５）の上部に設置した球形の錘（６）が落下し錘（６）とワイヤー（８）で接続されている窒息消火用の筒（２）及び（３）が引き上げられ、ロウソクの炎（１０）を筒（２）及び（３）が覆い消火するものである。消火を確実にするためロウソクを覆う窒息消火用の筒の長さを長くする為に筒（２）の中に筒（３）が内蔵されており筒（２）が上に移動時に筒（３）が筒（２）から落下し筒（２）の下方でストッパー（１１）により止まり筒の長さが、ほぼ２倍なる構造である。【０００５】  ロウソクの長さにより最適な動作ができるように窒息消火用の筒（２）、（３）及び滑車（５）錘（６）の位置がネジが切ってある支柱（１２）により調整用ナット（４）、（７）が任意に移動し固定できる構造である。これにより窒息消火用の筒（２）、（３）が固定されている場所でロウソクの炎が消灯するため消し忘れ防止になる。
また滑車（５）と一体構造のパイプ（１３）は支柱（１２）より内径が大きいのでロウソク立てがどちらに傾斜し転倒しても錘（６）が落下する構造である。
【発明の効果】
【０００６】    簡単な構造で窒息消火によりロウソクの炎を消火する事ができる。
窒息消火用の筒（２）、（３）の内径，支柱（１２）の長さを変える事で，ロウソクのサイズに対応できる。
座金（１）の大きさ及び形状を変える事で形状の異なるロウソク立てに対応できる。
【発明を実施するための最良の形態】
【０００７】  以下、本発明を実施するための最良の形態について説明する。
座金（１）にネジが切ってある支柱（１２）を立てる。支柱（１２）に窒息消火用の筒（２）、（３）を固定するナット（４）及び筒（２），（３）を挿入し滑車（５）を固定するナット（７）を取付けた後に滑車（５）を挿入する。座金（１）をロウソク立てにしっかりと固定する。ロウソクを筒（３）に挿入する。滑車（５）の上部に球形の錘（６）を固定する。材質は金属とする。
【図面の簡単な説明】
【０００８】
【図１】  本発明の側面図である。
【図２】  本発明の図１の上面図である
【図３】  本発明のロウソク立てに取付けた側面図である。
【図４】  本発明の図３の傾斜した時の側面図である。
【符号の説明】
【０００９】      １  座金
２  窒息消火用筒
３  窒息消火用筒２に内蔵の筒
４  窒息消火用筒の固定用ナット
５  滑車
６  錘
７  滑車固定用ナット
８  ワイヤー
９  ロウソク
１０  ロウソクの炎
１１  窒息消火用の筒３のストッパー
１２  ネジが切ってある支柱
１３  滑車と一体構造のパイプ
１４  ロウソク立て
【図１】
2022002202.tif 000003
【図２】
2022002202.tif 000004
【図３】
2022002202.tif 000005
【図４】
2022002202.tif 000006
(57)【要約】【課題】長尺鋼材の玉掛け作業時の作業者への負担軽減、人手不足対策の一つとして考案した。従来の玉掛け作業での玉掛け吊り具フックは鋼鉄製で重く反復しての玉掛け、玉外しの作業は重労働である。その作業の軽減化を計る、また従来の玉掛け作業は２名であったが昨今、人手不足もあり１名でも容易な作業方法が求められる。【解決手段】本発明は作業者が吊りフックを直接持つ事無く吊り荷長手方向対面側端部に手前作業位置で天秤フレームを利用して吊りフックの掛け外しを可能とし、１名での作業を容易にする。【選択図】図２
2022002997.tif 000002
【特許請求の範囲】
【請求項１】
竿と鞘の２段で構成する天秤にフックを取付けて吊る鋼材の長さに合せフック間の間隔を変える特徴とする天秤吊り具である。
【請求項２】
重い玉掛け吊り具を直接手で持ち運ぶ事なく長尺材の両端部に吊り具を掛け外しが出来る特徴とする天秤吊り具である。
【請求項３】
吊り荷の長さに応じ手動で伸縮する特徴の天秤吊り具である。
【請求項４】
１人で玉掛けを行う際に片側の作業位置から反対側端部へ移動無しに玉掛け作業が可能になる特徴の天秤吊り具である。
【請求項５】
天秤伸縮時に水平バランスを保つため、竿側フックにウエイトを利用してバランスをとる特徴の天秤吊り具。
【請求項６】
伸縮可動範囲が設定出来る特徴とする天秤吊り具である。
【請求項７】
天秤を伸ばした時に撓みを抑制し伸縮可動性を助ける特徴の天秤吊り具である。
【請求項８】
吊り荷の荷重は天秤自体には掛からないので、天秤フレームの軽量化が可能である。
【発明の詳細な説明】
【技術分野】
【０００１】本発明は長尺鋼材に玉掛け作業をする際の身体的負担の軽減を目的とする。【０００２】従来の玉掛け作業はクレーンフックにワイヤーで連結された重い吊りフックを手で持ち運び掛け、また外す作業は重労働である。【０００３】少ない労力で容易に玉掛け作業が反復して行える。【０００４】従来ではできない、手前材料端部の位置に居ながらにして、対面側端部に天秤吊り具をコントロール、誘導する事によりフックを掛けられる。
【課題の解決】
【０００５】天秤フレームを軽量化すると天秤を伸ばした際に自重による撓みが発生する。
そこで中央にも天秤フレームを吊るためのワイヤーと吊り具を施す必要がある。
【０００６】天秤吊り具は伸び縮みさせると天秤自体のセンターも移動する、
そこで中央の吊り具は受け治具を天秤に固定せず、撓みを受ける状態にある。
【０００７】
【図面の簡単な説明】
【０００８】
【図１】  従来の玉掛け吊り具の外観図
【図２】  本発明による天秤吊り具の外観図
【図３】  本発明の天秤吊り具が伸びた外観図
【図４】  本発明の天秤吊り具が収縮した外観図
【図１】
2022002997.tif 000003
【図２】
2022002997.tif 000004
【図３】
2022002997.tif 000005
【図４】
2022002997.tif 000006
(57)【要約】【課題】宇宙に広がる水素系の星々から未知の水素エネルギーを見つけ出す事を課題としている。【解決手段】インドがＵＦＯを開発して地球から近い水素系の星を発見する事で解決される。【特許請求の範囲】
【請求項１】
宇宙に広がる水素系の星々から得られる未知の水素エネルギー
【発明の詳細な説明】
【技術分野】
【０００１】本発明は、私、金城剛が太陽隕石を地球上で初めて発見した
人間として太陽は、水素とフッ素が反応して燃え、燃えつきないようにヘリウムで冷ます石の星だという新理論に関する。
【背景技術】
【０００２】従来、太陽はガス惑星だと考えられ直接太陽のような水素系の星に行って水素の石をエネルギーとして使う発明はされなかった。
【先行技術文献】
【特許文献１】特開２０１８−１５６８５８号公報
【発明が解決しようとする課題】
【０００３】宇宙に広がる水素系の星々から未知の水素エネルギーを見つけ出す事を課題としている。
【０００４】＜宇宙の水素系の星々は産業の発展になるか？＞
石油利権や原子力利権が金儲けのために水素エネルギーで発電する事を阻止してきたがそれは時代遅れになりつつある。インドがＵＦＯを開発して自由に宇宙に出て水素系の星々から未知の水素エネルギーを見つけ出すからだ。
金城剛の未来予言になるが最も効率の良いＵＦＯとは、金、水素、アルミニウムから生み出される金属の膨張にあるのだ。
【０００５】＜水素系の星が燃えているとは限らない＞
太陽は、寿命がくると赤色巨星になり燃発すると考えられているが地球では水素は、ガスの状態で存在しているのでその考えになったのだろう。本当は太陽はフッ素を消費して燃えつきると水素とヘリウムの石になるだけだ。
水素系の星々は、水素とフッ素がセットになっているのが普通だが純粋な水素だけの星は、燃えない水素の星つまり、絶対零度なので常温超電導で電気を流すと永久に電気が回る永久機関も夢ではないだろう。電気をお金で買う時代は終わりになる。ニコラテスラはこれをしたかったのだと思う。
【０００６】＜太陽と千葉カリクロー地震とアメリカ軍の撤退＞
太陽の光は人間の骨に必要なものだが地球にとっても光は骨の成長に必要なのだ。地球の心臓を核、血をマグマとすれば骨はプレートなのだ。地震とは地球の骨の反発でおきるのだ。マンガＡＫＩＲＡで予言されているように東京湾でＫＡＲＩＫＬＯ地震がおき３６ｍの津波がくるだろう。東京は水没しビルはくずれアメリカ軍に日本国民の税金を横流しした自民党は廃れるだろう。
しかし日本は終わらない。人間の進化である発明で日本は復活するのだ。
発明で日本の未来を明るくする指導者は、山本太郎だと信じている。
【課題を解決するための手段】
【０００７】答から言うと太陽は近い。地球から見える星は月と太陽だから太陽までの距離が１億５０００万ｋｍなのはうそだ。実際は２０分の１なのだ。直径１４０万ｋｍも７万ｋｍで距離も７５０万ｋｍなのだ。わざわざロケットで行かなくてもＵＦＯで行けば水素系の星々は、地球から近くにあるのだ。
【発明の効果】
【０００８】宇宙に広がる水素系の星々から無尽蔵の電気エネルギーを地球人が得られるようになったら何が起こるだろうか？答は簡単だ。戦争が起きなくなる。莫大な石油をめぐって戦争をしているアメリカ軍を見ればわかるがエネルギーは莫大な金を生む。
戦争という支配から逃れるには、電気エネルギーを無料にすればいい。
自由とは戦争をしても儲からないという事なのだ。自国の利益のためウソの愛国心で戦死させる戦争屋の考えは、地球では通用しなくなる。
【発明の実施例】
【０００９】太陽神とは、この世を遍く照らす者だとされている。遍照金剛とは、太陽神が照らしてくれるという他力本願ではなく、自分自身で人間の進化をして世界を発明で明るくするという覚悟が必要なのだ。最後に太陽神インセキノテンサイ（隕石の天才）としてナルヒト天皇に伝えておこう。千葉カリクロー地震が来る５時間前にカラスににている太陽の使いである（イソヒヨドリ）が叫ぶので千葉、東京の国民を安全な場所に避難させる事こそ、天皇としての仕事なのです。
(57)【要約】      （修正有）【課題】つばの飛散を抑えつつ十分な空気量を確保し、かつ熱中症になりにくいマスクを提供する。【解決手段】マスクの骨格１を作り、穴を開けたフィルムを骨格の内側と外側にはさみこみ、内側と外側のフィルムの穴の位置が重ならないようにする。【選択図】図１
2022003181.tif 000002
【特許請求の範囲】
【請求項１】
マスクの形をした、空気の流通をまったく妨げない骨組みの内側と外側に、小さな穴の開いたフィルムを設置して、内側と外側のフィルムの小さな穴が重ならないように設置したことを特徴とするマスクであって、骨組みの左右に耳にかける紐状の部分があり、このとき小さな穴の大きさにきまりはないが、約２ｍｍ程度の穴でも良いマスクであり、空気の流通量が多いことを特徴としたマスク
【請求項２】
請求項１において、内側のフィルムの、さらに口側にも骨格を作ってフィルムが口に吸いつかないようにしたマスク。
【発明の詳細な説明】
【技術分野】
【０００１】マスクに関するものです
【背景技術】
【０００２】実登  ３２２６２１７
特開２０２０−０５６１２３
【先行技術文献】
【０００３】
【特許文献】
【特許文献】特開２０２０−０８４３８８  特開２０２０−０５９９５４
【発明の概要】
【発明が解決しようとする課題】
【０００４】マスクをすると運動時には十分な空気量を確保しにくく、自分の吐く息の熱がマスクの内側にこもって熱中症にもなりやすいので、“つば”の飛散を抑えつつ十分な空気量を確保し、かつ熱中症になりにくいマスクが必要である
【課題を解決するための手段】
【０００５】マスクの形をした骨組みの内側と外側に、たくさんの小さな穴の開いたフィルムを配置し、このとき内側と外側のフィルムの小さな穴が重ならないように配置したマスクを提供するが、内側のフィルムのさらに口側にも骨格を作ってフィルムが口に吸いつかないようにしたマスクも提供でき、このとき各々の骨組みの左右には耳にかける紐状の部分がある、空気の流通量が多いことを特徴としたマスクを提供する。
【発明の効果】
【０００６】”つば”の飛散を抑えつつ、外部の空気との十分な空気の入れ替わりを確保することができて、自分の吐息による熱中症を防げることに加え、運動時でも十分な空気量を確保でき、フィルムを洗った後の乾燥も早く、フィルムのみを取り換えることでコストも低くすることができ、表情もわかりやすくなり、マスクの内側が口に張り付くことを防止できる。
【図面の簡単な説明】
【０００７】
【図１】マスクの骨格と耳にかける”ひも”である
【図２】小さな穴のあいたフィルムである
【図３】マスクの骨格の外側に小さな穴のあいたフィルムを配置し、マスクの骨格の内側に小さな穴のあいたフィルムを配置するときにフィルムの小さな穴が重ならないようにしたことを示した図である。
【図４】マスクの口側の骨格の図です。
【産業上の利用可能性】
【０００８】運動時でも十分な空気量の確保できるマスクを提供する
【符号の説明】
【０００９】１−−−−マスクの骨格です
２−−−−開いている空間です
３−−−−耳にかける紐状の部分です
４−−−−外側のフィルムの穴です
５−−−−内側のフィルムの穴です
６−−−−口側の骨格です
【図１】
2022003181.tif 000003
【図２】
2022003181.tif 000004
【図３】
2022003181.tif 000005
【図４】
2022003181.tif 000006
(57)【要約】【課題】抗ウィルス剤をより日常的に服用するための含口物品を提供する。【解決手段】抗ウィルス剤を含有せしめた含口物品である。含口物品としては、チューインガム、ねり歯磨き剤、喫煙フィルター、ヨーグルト等が考えられる。抗ウィルス剤を含口物質に少量含ませることによって、人体をウィルス耐性化することができるので、菓子や乳製品の食品業界、歯磨き剤等の衛星用品業界にとって極めて有効である。【選択図】なし【特許請求の範囲】
【請求項１】
抗ウィルス剤を含有せしめた含口物品。
【請求項２】
抗ウィルス剤がイベルメクチンであり、含有量が１〜３ｍｇ／１回消費量相当である請求項１に記載の含口物品。
【請求項３】
チューインガムである請求項１に記載の含口物品。
【請求項４】
ねり歯磨き剤である請求項１に記載の含口物品。
【請求項５】
喫煙フィルターである請求項１に記載の含口物品。
【請求項６】
ヨーグルトである請求項１に記載の含口物品。
【発明の詳細な説明】
【技術分野】
【０００１】
本発明は含口物品に関し、特に、抗ウィルス剤を含有せしめた含口物品に関するものである。
【背景技術】
【０００２】
イベルメクチンは、元来動物の寄生虫に対して極めて有効に作用し、動物の駆虫剤として使用されていた。近年になって、人の寄生虫によって引き起こされる感染症に対する治療薬としても使用されるようになっている。更に、最近ではデング熱ウィルス、ウエストナイルウィルス、ベネゼラ馬脳炎ウィルス、インフルエンザウィルス、仮性狂犬病ウィルス等に対して抗ウィルス活性を示すところから、新型コロナウィルスに対しても抗ウィルス活性を発揮するのではないかと期待されている。
【先行技術文献】
【非特許文献】
【０００３】
【非特許文献１】酪農学園大学動物医療センターホームページ（220年5月1日掲載）
【非特許文献２】AASJホームページ（220年4月8日掲載）
【発明の概要】
【発明が解決しようとする課題】
【０００４】
新型コロナウィルスは無症状の人も多く、当該無症状の人の持っているウィルスも感染能力を持っている点で、他のウィルスと相違する。このように感染源側、被感染側の双方が意識しない間の感染を防止するには、ウィルスに対する免疫力を持つことが重要である。しかしながら、一旦感染したときには抗ウィルス剤を服用して、ウィルスを体から追い出す治療がなさる。このときイベルメクチン等の抗ウィルス剤が使用されることになるが、抗ウィルス剤はあくまで薬剤であって、医師の処方に従って服用するのが、通常の使用方法である。
【０００５】
しかしながら、前記抗ウィルス剤、特にイベルメクチンは日常的に服用しても副作用が出ることはないので、より気軽に服用する、いわゆる健康食品的な使用方法で一般に服用することで、前記無意識の感染を抑止することが可能となる。
【０００６】
本発明は、抗ウィルス剤をより日常的に服用するための含口物品を提供することを目的とするものである。
【課題を解決するための手段】
【０００７】
本発明は、抗ウィルス剤を含有せしめた含口物品である。含口物品としては、チューインガム、ねり歯磨き剤、喫煙フィルター、ユグルト等が考えられる。
【発明の効果】
【０００８】
チューインガムを噛むことによって、あるいはタバコを吸うことによって、特に、歯を磨かない人はいないと考えられるので、歯磨きによって、自然にまた日常的に少しずつ体内に吸収され、その人体は抗ウィルス体質となる効果が見込まれる。
【発明を実施するための形態】
【０００９】
イベルメクチンは、フィラリア等の動物の駆虫剤として使用されていたが、近年では腸管糞線虫、疥癬の原因となる寄生虫、ヒゼンダニ等の駆虫剤として、人の寄生虫に対しても用いられるようになっている。人に対して用いる場合は、一回の投与量が２００μｇ／Ｋｇ程度であり、２週間間隔で服用することが基準となっている。
【００１０】
前記のように人の駆虫剤としての効果が既に確認されているところから、新型コロナウィルスにも効果があることが予測され、各医療機関ではその確認がなされようとしている。
【００１１】
新型コロナウィルスの治療薬として使用する場合は、前記したように一回の投与量が２００μｇ／Ｋｇ程度であるので、６０Ｋｇの大人であると３ｍｇ／錠を４錠程度、１回で服用することになる。
【００１２】
しかしながら、仮に予防薬として毎日摂取する場合は、治療薬として使用する程の量を摂取する必要はなく、毎日少量ずつ摂取して体内にある程度の蓄積ができた状態を形成すれば足りる。また、実際に症状が現れてから服用するのではないので、錠剤という形をとる必要はなく、日常的に口に咥える、あるいは口に含む製品（含口物品）、例えばチューインガム、ねり歯磨き、あるいはタバコのフィルターに混入して、無意識の間に体に吸収・蓄積する方法を採用するのが好ましい。
【００１３】
とすると、上記治療薬として投与量が一回１２ｍｇ（体重６０ｋｇ）であるので、顆粒のチューインガム１粒、一回に使用する量のねり歯磨き、電子タバコのフィルター１つ、あるいはヨーグルト１カップに、その１／２０〜１／１０程度（すなわち０．５〜１ｍｇ程度）の量を含有せしめるようにする。
【００１４】
このようにすることによって、チューインガムを噛むことによって、あるいはタバコを吸うことによって、自然に体内に吸収され、コロナウィルスに対する抗ウィルス剤を持った身体が形成されることになる。特に、歯を磨かない人はいないと考えられるので、歯磨きによって、日常的に少しずつのイベルメクチンが体内に吸収され、その人体は抗ウィルス体質となる。
【００１５】
以上抗ウィルス剤としてイベルメクチンのみを挙げて説明したが、本発明は、イベルメクチンに限らず、抗ウィルス剤であれば種類を問わず利用することができる。
【産業上の利用可能性】
【００１６】
以上説明したように、本発明は抗ウィルス剤を含口物質に少量含ませることによって、人体をウィルス耐性化することができるので、菓子や乳製品の食品業界、歯磨き剤等の衛星用品業界にとって極めて有効である。
(57)【要約】      （修正有）【課題】蒸し菓子が箱体に付着せず、また、蒸し上がった菓子の形状が変形したりすることもなく、蒸し菓子が箱体からきれいに外れる蒸し菓子用中枠を提供する。【解決手段】蒸し菓子の中枠において、やや硬質の紙材であって、紙材に樹脂フィルムでコーティングした素材１に、適当に水分を吸収する耐油紙を貼り合わせた素材で箱体に形成した本体Ｘを設け、本体Ｘの底面２には複数個の通気穴３を穿設し、本体Ｘの側面は、余片を設けず、それぞれ各隅角部で当接する側面４を設け、箱体を拡げることによりお皿や敷紙とする蒸し菓子用中枠から構成される。【選択図】図２
0003107080.tif 000002
【実用新案登録請求の範囲】
【請求項１】
蒸し菓子の中枠において、やや硬質の紙材であって、該紙材に樹脂フィルムでコーティングした素材に、適当に水分を吸収する耐油紙を貼り合わせた素材で箱体に形成した本体を設け、該本体の底面には複数個の通気穴を穿設し、該本体の側面は、余片を設けず、それぞれ各隅角部で当接する側面を設け、該箱体を拡げることによりお皿や敷紙とすることを特徴とする蒸し菓子用中枠。
【考案の詳細な説明】
【技術分野】
【０００１】
この考案は、蒸し菓子の製造に使用する，蒸し菓子用中枠に関するものである。
【背景技術】
【０００２】
従来、泉州地方独特の蒸し菓子『村時雨』を製造する際には、木製の蒸籠（せいろ）に調合した材料を入れ、蒸して製造するものであるが、この欠点としては、蒸籠の木の臭いが製品につき、購買者からのクレームが最も多い原因となっていた。
【０００３】
また、従来の製造工程では、製品を蒸し上げた後、蒸籠から一度木の板上に取り出して、少し熱をとってから中枠に移すという工程をとっており、その作業が煩雑であった。
【０００４】
そして、この製法では蒸し上がった製品に、作業者が直接手を触れることになり、また、製品を掴むために少し冷ます時間をとるため、酵母菌の付着の対策上、不充分な点があり、衛生上問題があった。
【０００５】
そのため、本願出願人は、やや硬質の紙材であって、該紙材に樹脂フィルムでコーティングした素材で箱体を形成し、該箱体の底面には複数の通気穴を設け、箱体の側面の連結部には余片（Ｂ）を設けたものを開発した。（例えば、特許文献１のように）
【特許文献１】登録実用新案第３０２９５６１号公報
【０００６】
しかし、この製品も、箱体の素材にある紙材樹脂フィルムをコーティングすることによって、蒸し菓子の仕上がりはよいが、中枠の樹脂フィルム面に、蒸し上がった菓子が付着するとの苦情が多くあった。
【０００７】
さらに、箱体の側面の連結部には、余片（Ｂ）を設けているが、それらの余片（Ｂ）が、蒸し菓子の原料を箱内に充填する際に、箱体の内側に移動してしまい、蒸し上がった菓子の間に余片が入ることがあり（図６を参照）、蒸し菓子の角部が欠けたり、変形する等の欠点があった。
【考案の開示】
【考案が解決しようとする課題】
【０００８】
そこで、この考案は、上記の各欠点を除去し、蒸し菓子が中枠である箱体に付着せず、また、蒸し上がった菓子の形状が変形したりすることもなく、蒸し菓子が箱体からきれいに外れる蒸し菓子用中枠を開発・提供することにある。
【課題を解決するための手段】
【０００９】
この考案は、蒸し菓子の中枠において、やや硬質の紙材であって、該紙材に樹脂フィルムでコーティングした素材に、適当に水分を吸収する耐油紙を貼り合わせた素材で箱体に形成した本体を設け、該本体の底面には複数個の通気穴を穿設し、該本体の側面は、余片（図５のＢ）を設けず、それぞれ各隅角部で当接する側面を設け、該箱体を拡げることにより、製品（蒸し菓子）の、そのままお皿や敷紙とすることを特徴とする蒸し菓子用中枠である。
【考案の効果】
【００１０】
この考案によると、箱体の素材を、樹脂フィルムでコーティングした素材に、適当に水分を吸収する耐油紙を貼り合わせた素材で形成したため、蒸し菓子が付着せず、また、箱体の側面は、余片を設けず、それぞれ各隅角部で当接する側面を設けたため、変形した蒸し菓子にならず、また、中枠からきれいに外れる等の極めて有益なる効果を奏する。
【考案を実施するための最良の形態】
【００１１】
次に、この考案の一実施例を図面に従って詳述すると、蒸し菓子の中枠において、やや硬質の紙材（１ａ）であって、該紙材に樹脂フィルム（１ｂ）でコーティングした素材（１）に、適当に水分を吸収する耐油紙（１ｃ）を貼り合わせた素材で箱体に形成した本体（Ｘ）を設け、該本体（Ｘ）の底面（２）には複数個の通気穴（３）を穿設し、該本体（Ｘ）の側面は、余片（Ｂ）を設けず、それぞれ各隅角部で当接する側面（４）を設け、該箱体を拡げることにより、そのまま、製品（Ａ）のお皿や敷紙となることを特徴とする蒸し菓子用中枠から構成される。
【００１２】
尚、製品（Ａ）とは、蒸し菓子であり、また、本体（Ｘ）は、上蓋のないものを図示したが、蓋を有するものであってもよい。
【産業上の利用可能性】
【００１３】
この考案により、蒸し菓子の中枠の製造技術を確立し、製造、販売することにより、産業上の利用可能性があるものである。
【図面の簡単な説明】
【００１４】
【図１】この考案の一実施例を示す平面図である。
【図２】この考案の一実施例を示す斜視図である。
【図３】この考案の一実施例を示す要部拡大断面図である。
【図４】この考案の使用状態を示す斜視図である。
【図５】従来例の使用状態を示す斜視図である。
【符号の説明】
【００１５】
１  コーティング素材
１ａ  やや硬質の紙材
１ｂ  樹脂フィルム
１ｃ  適当に水分を吸収する耐油紙
２  底面
３  通気穴
４  側面
Ａ  製品
Ｂ  余片
Ｘ  本体
【図１】
0003107080.tif 000003
【図２】
0003107080.tif 000004
【図３】
0003107080.tif 000005
【図４】
0003107080.tif 000006
【図５】
0003107080.tif 000007
(57)【要約】      （修正有）【課題】多様化する消費ニーズに応える為、選択肢を増やす目的で、８角形の形状をしたテーブルクロスという製品を提供する。【解決手段】８角形の形状を、作るのに中心になる小さな８角形の部分と、これと適正に結ぎ合わせると、８角形となる８つの４辺形の部分とで、できている。【選択図】図１
0003107009.tif 000002
【実用新案登録請求の範囲】
【請求項１】
８角形の形状をしたテーブルクロス
【請求項２】
中心になる小さな８角形の部分と、これと適正に結ぎ合わせると、８角形となる８つの４辺形の部分とで、できたテーブルクロス
【考案の詳細な説明】
【技術分野】
【０００１】  本考案は、一般家庭及びレストラン等で、飲食その他、人の集会の際に使用されるテーブルクロスに関するものである。
【背景技術】
【０００２】  元来テーブルクロスは、食卓テーブル等を美しく華やかに飾る目的で使用され、食卓テーブル等の天板の形に応じて、大小はあるものの、総じて４角形ないし丸形の形状のものが使用されてきた。
【考案の開示】
【考案が解決しようとする課題】
【０００３】  社会が豊かになるにつれて、人々の価値観の多様化が生まれ、既成概念にもとづいた製品・サービスでは満足しきれない消費者が現われてきておるにもかかわらず、こと、テーブルクロスの分野では、相変わらず４角形ないし丸形の形状のものしか存在しない。
【課題を解決するための手段】
【０００４】  本考案は、多様化する消費ニーズに応える為、選択肢を増やす目的で、８角形の形状をしたテーブルクロスという製品を提供する。
【考案の効果】
【０００５】  ８角形という形状は、特に我が国日本を含む東アジア地域では、古来から非常に大切にされてきており、古代においては貴婦人等しか使用できない銅製手鏡に利用されたり、個人の人生や国家の命運等を予見する為の道具等の形状としても、実に長きに亘て利用されてきている為、この形状に、不可思議な力を感じる人も多く、縁起もの的な効果を生じる。【０００６】  さらに本考案は、８角形の形状を、作るのに中心になる小さな８角形の部分と、これと適正に結ぎ合わせると、８角形となる８つの４辺形の部分とで、できている為、８角形の形状をしたテーブルクロスに、糸の縫い目の線が生じ、それが易・占い等で新羅万象、天地人時を象徴する形が現われるようになっており、易・占いを業とする人々の利便性にも資するところ大となる。
【図面の簡単な説明】
【図１】  これは８角形の形状をしたテーブルクロスの平面図である。実線の部分は、その形状を表わし、破線の部分は、縫い取り線を表わしている。
【図１】
0003107009.tif 000003
(57)【要約】      （修正有）【課題】被保冷体の形状や用途に合わせて自由に組み立てて利用する結合式保冷剤を提供する。【解決手段】保冷材の平面形状は正方形、正三角形などの基本図形に基づき各辺の長さは同一であり、その周辺には接合部分を持つ被保冷体の形状、あるいは用途に合わせて保冷材を接合し自由な形状を確保する。【選択図】図２
0003107096.tif 000002
【実用新案登録請求の範囲】
【請求項１】
保冷材を幾何学的な基本形状（主として正方形、正三角形）とし、各辺の寸法を一致させ  さらに周辺に接合部分を持たせることでこれを任意に接合し利用できることを特徴とした結合式保冷材
【考案の詳細な説明】
【技術分野】
【０００１】  本考案は、被保冷体の形状や用途に合わせて自由に組み立てて利用する保冷剤に関するものである。以降、本考案で説明される保冷材で構成されるものを保冷体と呼び、その構成単位を保冷材ユニットと呼ぶ。
【背景技術】
【０００２】  従来の保冷材は被保冷体の形状が特殊な場合には間隙が大きな状態で利用されている。あるいは別の用途での再利用が困難な形状に加工されてから利用されている。
【考案の開示】
【考案が解決しようとする課題】
【０００３】  従来の保冷材は冷却対象である被保冷体の形状を想定して製造されているか、必要に応じて切断、加工されてから利用されている。前者の場合には被保冷体の形状によっては利用できない  あるいは冷却効率が悪い、後者の場合には冷却効率は得られても別の目的での再利用が困難である。この両者の弱点を解決する為に保冷材をユニット化し個々の保冷材に接合部分（マジックテープ、フック等）を設けることで従来品の問題点を解決しようとしている。
【課題を解決するための手段】
【０００４】  保冷材ユニットの平面形状は正方形、正三角形等の図形に基づき各辺の長さは同一であることを特徴とし  組み合わせが多彩であることから被保冷体の形状に合わせることができる。（あるいは意図して特殊な形状の保冷体を構成できる。）これにより、被保冷体の形状、あるいは用途に合わせて保冷体に自由な形状を確保することができる。
【考案の効果】
【０００５】  上述の様に、本考案の保冷材ユニットを利用して自由な立体形状の保冷体を構成できることから、従来の保冷材のように限定された仕様から開放され  目的に応じた効果的な保冷効果を受容することができる。
【考案を実施するための最良の形態】
【０００６】  保冷材ユニットの平面形状は正三角形、正方形が基本形となる。補助形状として直角二等辺三角形の保冷材ユニットがあり、正五角形以上の多角形もこれに含まれる。直角二等辺三角形の保冷材ユニットを除き  その各辺は同じ長さで構成される。直角二等辺三角形の保冷材ユニットはその等しい２辺のみが他のユニットの各辺と共通の長さである。以上の形体の保冷材ユニットを接続することによって自由な形の保冷体を構成することができる。
【実施例】
【０００７】  以下、添付図面に従って小規模な実施例を説明する。図１に示される１を５個と２を４個利用して保冷体を構成する。【０００８】  図２の様に１の１個を底面とし  この各辺に残りの１を接合する。さらに後から接合した４個の１を順次  立ち上げながら保冷材ユニット２を４個  図２の両端矢印の様に接合して構成する。【０００９】  構成された保冷体は組み立て後に冷却することも、あるいは保冷材ユニットを冷却後、組み立てることも可能であり。利用後に分解して保管することも、そのまま保持することも保冷材ユニットの性格上できる。
【図面の簡単な説明】
【００１０】
【図１】保冷材ユニットの形状
【図２】保冷体の例（保冷材ユニットの構成例）
【符号の説明】
【００１１】  １  正方形保冷材ユニット
２  正三角形保冷材ユニット
３  直角２等辺三角形保冷材ユニット
４  接合部
【図１】
0003107096.tif 000003
【図２】
0003107096.tif 000004
(57)【要約】【課題】本考案は１種類の床材で和風から洋風、若しくは洋風から和風への床面模様替えを容易にする。且つ次回からの再模様替えに際して床材の繰り返し使用も可能にする。【解決手段】本考案はフローリング床材１と畳３を２の部分で接着させ、両面使用を可能にした事で同一床材での室内床面模様替えを可能にし、もって室内模様替え改装工事における床面工事の省力化と低価格化に役立つ。【選択図】図１
0003107094.tif 000002
【実用新案登録請求の範囲】
【請求項１】
木製フローリング床材と畳を下面同士で接着し両面使用を可能にした内装床材。
【考案の詳細な説明】
【技術分野】
【０００１】本考案は片面を木製フローリング床材、その反対面に畳を接合した両面使用が可能な床材である。
【背景技術】
【０００２】従来は住宅等の改装において和室から洋室、若しくは洋室から和室に改装する場合、床部分は根太から解体ご再造作が必要な為、費用期間共に施主は重い負担を強いられる事に成っていた。
【考案の開示】
【考案が解決しようとする課題】
【０００３】床面の再造作は費用も高価に成り、工期も長期化する、しかもマンション等の集合住宅においては建物の構造上、最造作自体が不可能な場合も有る。
従って置き式で両面使用が可能な床材を既存の床の上に違和感無く敷詰める事により前述の欠点を解決しようとするものである。
【課題を解決するための手段】
【０００４】本考案は、畳とフローリング材と言う２種類の床材を裏面同士で接着して、両面使用を可能にし更に個々の改装予定室内床スペースの形状に合わせて加工した床材を敷詰めて使用する事で当該室内の床下地の状態に関係無く将来も和風から洋風、若しくは洋風から和風への床模様替えを容易にしている。【０００５】この内装床材を使用する部屋は、床材上面が日常生活に最も適した高さに成る様に調整造作された平滑な床下地を必要とする。
上記床下地の上に使用するスペースの形状に合わせて成形加工した本考案の内装床材を敷き詰めて使用する。
居住者の生活習慣が変わり、使用中の内装材表面の意匠が生活環境に合わなく成った場合は内装床材を裏返して使用する。
【考案の効果】
【０００６】従来の室内改装システムに比べて、畳床からフローリング床、若しくはフローリング床から畳床への変更が簡便且つ短時間、低予算で繰り返し実施できる。
【考案を実施するための最良の形態】
【０００７】室内模様替えの為の改装予定スペースが現況和室の場合のみ本考案の床材の厚さに合わせた高さでの床下地の造作が必要で有る。
完成された平滑な床下地の上に改装予定スペースの形状に合わせて製作された本考案の床材を敷詰めて使用する。
次回、床の模様替えを実施する場合は床下地が完成されているので本考案の床材を裏返して敷詰めるだけで洋風から和風への模様替えが容易に実施できる。
【実施例】
【０００８】以下、添付図面に従って一実施例を説明する。１は洋風の内装の際に表側として使用する木製フローリング床材、３は和風の内装の際に表側として使用する薄型畳、３は両面テープと人体の健康に留意した強力接着剤で強力に接着された両床材の接合部。
模様替え改装後の室内を洋室として使用したい場合は１を表側として、和室として使用する場合は３を表側として床下地材の上に敷詰めて使用する。
【図面の簡単な説明】
【０００９】
【図１】      本考案の内装床材の横断面図である。
【図２】      本考案の内装床材をフローリング面の側から見た斜視図である。
【図３】      本考案の内装床材を畳面の側から見た斜視図である。
【符号の説明】
【００１０】１  木製フローリング部
２  上下接合部
３  畳部
【図１】
0003107094.tif 000003
【図２】
0003107094.tif 000004
【図３】
0003107094.tif 000005
(57)【要約】【課題】首筋、肩の疲労につき回復の一助となるべき方法と、孫の手の機能を同時に提供したい。【解決手段】ツボ押さえ用の押圧突起数個を設けたプレートに把手を連結して背中の任意の場所に押圧突起を位置させ、その後、壁面または椅子に寄りかかって自己の体重を作用させることにより、安楽にツボ押さえの実施を図りたい。それと同時に孫の手の機能も持たせたい。【選択図】図１
0003107097.tif 000002
【実用新案登録請求の範囲】
【請求項１】
ツボ押さえ用の押圧突起数個を備えたプレートの下方に把手を連結し、該把手の先端に孫の手の形状を構成したツボ押さえと孫の手の兼用具。
【考案の詳細な説明】
【技術分野】
【０００１】この考案は首筋、肩の疲労、凝りにつき回復に貢献するための、ツボ押さえ用のプレートと孫の手の兼用具に係るものである。
【背景技術】
【０００２】これまでのものは使い勝手があまりよろしく無い。
【考案の開示】
【考案が解決しようとする課題】
【０００３】使い勝手がよろしく心地よく効果の大なること。
【課題を解決するための手段】
【０００４】ツボ押さえ用の押圧突起数個を設けたプレートの下方に、適切な長さの把手を連結し、背中の任意の場所に押圧突起を位置させて壁面または椅子に寄りかかり、自己の体重を作用させることによって安楽にツボ押さえの実施を図りたい。同時に孫の手の機能も持たせたい。
【考案の効果】
【０００５】扱いやすく効果が絶大。
【考案を実施するための最良の形態】
【０００６】プレートおよび把手の素材としては、化成品、木材または金属のいずれでも可能と思われる。
【実施例】
【０００７】重量は重過ぎない材料を使用するならば、特段の注意点も無く作成が可能である。
【産業上の利用可能性】
【０００８】価格の予想として、製作原価は千円内外で可能と思われるからその流通は小さくは無いと想定できる。
【図面の簡単な説明】
【０００９】
【図１】考案の斜視図
【図２】実施を示す略図。
【符号の説明】
【００１０】  １  プレート            ２  ツボ押さえ用押圧突起  ３  把  手              ４  孫の手
【図１】
0003107097.tif 000003
【図２】
0003107097.tif 000004
(57)【要約】【課題】  包装機において包袋スペース内に収容した多数の棒状被包装物を、平行に整列させる。【解決手段】  軸線を縦向きにして包袋内に収容した複数本以上の棒状被包装物を、前記包袋の外側から一対の稼動ブロックのソフト弾性材で挟圧すると共に、前記各被包装物の軸を回転させる方向に前記両稼動ブロックを相反して往復動させる。【選択図】  図１
0003107098.tif 000002
【実用新案登録請求の範囲】
【請求項１】
両側一対のクランプにより懸垂する包袋内に、軸線を縦向きにして収容した複数本以上の棒状被包装物を、前記包袋の外側から一対の稼動ブロックのソフト弾性材で挟圧すると共に、前記各被包装物の軸を回転させる方向に前記両稼動ブロックを相反して往復動させる構成の装置。
【請求項２】
両稼動ブロックが相反する方向に往復動するこれら各稼動ブロックの、１振幅に要する時間間隔を順次減少させる機構を備える請求項１に記載の装置。
【請求項３】
両稼動ブロックの相反する方向への往復動振幅値を順次縮小させる請求項１に記載の装置。
【請求項４】
両稼動ブロックの相反する方向への往復動振幅値を順次減少させるのに合わせて、１振幅に要する時間を順次減少させる機構を備える請求項３に記載の装置。
【考案の詳細な説明】
【技術分野】
【０００１】
本考案は、包袋に収容した多数の棒状被包装物の軸線を、前記包袋内で平行状に整列させる装置に関する。
【背景技術】
【０００２】
包袋の中に集合性の被包装物が乱雑に密封されている態様は、包装商品としては自然性が優位に立ってその乱雑性が気になることはないが、透明または半透明の比較的スペース大きい包袋に棒状物を平行に整列して封入することができたならば、同被包装物を乱雑に封入した商品を比較すると当然価値観は向上する。
【０００３】
前記の観点から下記の特許文献１には、透明性の包袋に沢庵がくの字形に封入される傾向を防ぐために、前記包袋内のくの字形の沢庵を、外部から２本の平行な棒で押して真っ直ぐに整形する技術を開示し、一方特許文献２には包袋の外部から被包装物に衝撃を加えて整形する技術を開示する。
【０００４】
【特許文献１】特開２００２−６８１４８号公報
【特許文献２】特開平６−２７５１２号公報
【考案の開示】
【０００５】
解決する問題点は、包袋のスペース内でX状に交差する多数本の棒状被包装物に、単に外力を加えても平行整列はむつかしいという点である
【考案を実施するためま最良の形態】
【０００６】
両側一対のクランプにより懸垂する包袋内の複数本以上の棒状被包装物を、外側から一対の稼動ブロックのソフト弾性材で挟圧し、前記各被包装物の軸を回転させる方向に前記両稼動ブロックを相反して往復動させる。
【０００７】
この場合、両稼動ブロックが相反する方向に往復動するこれら各稼動ブロックの１振幅に要する時間間隔を順次減少させ、また両稼動ブロックの相反する方向への往復動振幅値を順次縮小させ、さらに両稼動ブロックの相反する方向への往復動振幅値を順次減少させるのに合わせて１振幅に要する時間を順次減少させることにより、いずれも能率は向上する。
【実施例１】
【０００８】
図３は袋詰め包装機の平面の一部を示すもので、該包装機は、円形ロータ１２に設置する一対のクランプ１３により、棒状被包装物１１を収容した包袋１０の両側縁を挟持して懸垂し、前記被包装物１１を前記ロータ１２の回転で矢印１４の方向に断続移送する。
【０００９】
図４に示すように、前記クランプ１３に支持した包袋１０が図示セクションに到達して停止すると、前記包袋両側の一対の整列機２０は、互いにベースガイド２１に沿って接近し且つそれぞれの稼動ブロック３１，３２により前記包袋１０内の被包装物に挟圧力を作用させる。
【００１０】
前記の作用を図１で拡大してみると、前記一対の整列機２０は対称的な類似構造を備え、いずれも平行配置した流体シリンダー２８，２９と、ガイド棒２４とに前記の稼動ブロック３１，３２をスライド自在に支持すると共に、これら両稼動ブロック３１，３２それぞれの対向面に設置したウレタンゴム製のソフト弾性材２５、２６によって、前記の被包装物１５を包袋１０と一体に挟圧するのである。
【００１１】
図２は前記２本のシリンダー２８，２９の流体回路を示すもので、５ポート２位置切換え制御弁３０を介して流体ポンプ３３と前記両シリンダー２８，２９との連結図であり、開閉スイッチ３４を閉じて電源３１でタイマー３５の作動を開始すると、前記タイマー３５は電磁部３６を励磁して同タイマー３５のの作動間隔に応じて前記制御弁３０を切り替えるのである。
【００１２】
図における状態は、ポンプ３３の吐出流体がライトサイドの回路３７に流れ、一側のシリンダー２８のピストン４１と、他側のシリンダー２９のピストン４２とを、矢印のように相反する方向に移動させるが、前記制御弁３０を切換えて流体をレフトサイドの回路３８に送ると、前記両ピストン４１，４２は逆方向に移動するのである。つまり前記タイマー３５の設定間隔で両ピストン４１，４２は相反する方向に往復動するのである。
【００１３】
図１において磁気をもつ両ピストン４１，４２が相反する方向に変位すると、前記磁気作用でもって両稼動ブロック３１，３２は相反する方向に従動して往復動し、両ソフト弾性材２５，２６の揉み解しにより棒状被包装物１５の軸を回転するので、図５のイ図のように、包袋１０に乱雑に収容されている棒状被包装物１５は、ロ図の被包装物１５のように包袋１０のスペース内で平行に整列することになるのである。
【実施例２】
【００１４】
図２におけるタイマー３５の設定を変更し、図６に示すように両稼動ブロックの、１振幅に要する時間間隔tを、t1〜t4…のように順次減少させることにより、被包装物の整列進行に伴い揉み解しスピードを上げることができる。
【００１５】
また、０を基点とする振幅値（−１０〜＋１０範囲）を時間経過に応じて順次減少させることにより、被包装物の整列進行に伴い無駄な揉み解し幅を削除して能率を上げる。同時に１振幅に要する時間間隔tを、t1〜t4…のように順次減少させることも望ましい。
【図面の簡単な説明】
【００１６】
【図１】整列機の平面図
【図２】前図における流体シリンダーの流体回路図
【図３】袋詰め包装機の一部の平面図
【図４】被包装物整列セクションの側面図
【図５】被包装物の整列作用の説明図
【図６】被包装物の揉み解し作用の説明図
【符号の説明】
【００１７】
１０…包袋
１１…棒状被包装物
１３…クランプ
３１，３２…稼動ブロック
２５，２６…ソフト弾性材
２８，２９…流体シリンダー
３５…タイマー
４１，４２…ピストン
【図１】
0003107098.tif 000003
【図２】
0003107098.tif 000004
【図３】
0003107098.tif 000005
【図４】
0003107098.tif 000006
【図５】
0003107098.tif 000007
【図６】
0003107098.tif 000008
(57)【要約】      （修正有）【課題】近年４０インチ以上の大画面のプラズマディスプレイ、ＬＥＤディスプレイ等のフラットパネル型表示装置が商品化されている。大画面であるゆえ、遠距離からの視認性が向上している。しかし設置の際に画像映出面の角度を手動で調整し、再度、角度を変更する場合再び、手動によって調整しなければならない。また、画像映出面が固定されている場合、一定方向の視認性しか確保できない。【解決手段】本発明の装置は、画像映出面を取り付け可能な筐体にモーターを内臓し、その筐体をアングルで支持する。これにより筐体の垂直方向を決定する。さらに画像映出面を取り付け可能な筐体を支持しているアングルをモーターを内臓した固定台部に取り付け、そのアングルをモーターで駆動させることにより画像映出面を取り付け可能な筐体の水平方向の位置を決定する。これらをコンピューターによって制御することにより遠隔操作を可能にする。【選択図】図１
0003107095.tif 000002
【実用新案登録請求の範囲】
【請求項１】
画像映出面が表面に位置する表示装置をモーターを内臓する下部筐体に取り付けアングルで下部筐体を支持するそのアングルを支持する固定台部にモーターを内臓させ画像映出面の角度、向きの調整をコンピューターにより遠隔操作により可能とする装置
【請求項２】
画像映出面が垂直方向２７０度、水平方向３６０度駆動可能な請求項１に記載する装置
【考案の詳細な説明】
【技術分野】
【０００１】本発明は映像映出面を取り付け可能な筐体をモーターで動かしそれをコンピューターで制御し画像映出面の角度を遠隔操作により任意の位置へ変化せしめるものである
【背景技術】
【０００２】近年、４０インチ以上の大画面のプラズマディスプレイ、ＬＥＤディスプレイ等のフラットパネル型表示装置が商品化されている大画面であるゆえ、遠距離からの視認性が向上しているしかし設置の際に画像映出面の角度を手動で調整し、再度、角度を変更する場合再び、手動によって調整しなければならないまた、画像映出面が固定されている場合、一定方向の視認性しか確保できないまたスイーベル機構を内臓し視認角度の調整できるものも実用化されているが映像映出面と一体型である
〔発明の開示〕
【考案が解決しようとする課題】
【０００３】一つの画面を多くの人が見ようとした場合、画面の面積を大きくし、さらに取り付ける位置を高くすることが必要となるが画像映出面の角度を手動で調整する場合画像映出面の位置が高所に設置されていると、角度の調整を脚立あるいは足場を用いて高所作業しなければならないまた、多方向に視認性を確保するには、複数の画像映出面が必要であるまたスイーベル機構を内臓しない表示装置に容易に同等の機能を付加することを目的とする
【課題を解決するための手段】
【０００４】この目的を達成するために本発明の装置は、画像映出面を取り付け可能な筐体にモーターを内臓し、その筐体をアングルで支持する。
これにより筐体の垂直方向を決定するさらに画像映出面を取り付け可能な筐体を支持しているアングルをモーターを内臓した固定台部に取り付けそのアングルをモーターで駆動させることにより画像映出面を取り付け可能な筐体の水平方向の位置を決定するこれらをコンピューターによって制御することにより遠隔操作を可能にする
【作用】
【０００５】本発明は上記した構成により、モニター画面の角度を遠隔操作できるため設置後の角度，向きの調整に高所作業の必要がないまた、コンピューターで制御することによって、必要に応じた向き、角度に瞬時に移動させることができるまた表示装置を取り付けることを可能にすることによって安価かつ容易に既存の表示装置の視認角度を調整できる
【実施例】
【０００６】以下本発明の一実施例について説明する
図１において、２は前面に画像映出面が配置された表示装置１は２を取り付けることが可能な筐体で、モーターを内臓している３は１を支持するためのアングルであり、４は３を支持し、３を駆動するためのモーターが内臓されている固定台部また４の内部に必要な電源供給部および映像信号の処理部を配置する以上のように構成された装置について、その動作を説明する図３，図４は天井に本装置が設置されている様子を簡略化して示してある図３のａと図４のｂの位置から画面を見る場合、モニターの最も見やすい垂直角度は異なる従来の角度を手動で調整する場合、高所での作業が必要になるが、本装置によれば遠隔操作により調整ができるまた図５，図６はモニターの水平方向と見る側の位置を示したものである従来は設置後、一方向ｄに対しては見やすいが図５のｃ，ｅの方向からはみえない図６のように画像映出面を移動させると図６のｃの方向から見ることができる。
本装置によれば水平方向の移動が可能となるため、どの方向からも映出内容を確認できる
【図面の簡単な説明】
【０００７】
【図１】本発明の一実施例の正面図
【図２】本発明の一実施例の側面図
【図３】本発明の一実施例と垂直角度の視認性の説明図
【図４】本発明の一実施例と垂直角度の視認性の説明図
【図５】本発明の一実施例と水平角度の視認性の説明図
【図６】本発明の一実施例と水平角度の視認性の説明図
【符号の説明】
【０００８】１  下部筐体
２  画像映出面
３  アングル
４  固定台部
ａ  視聴者の位置
ｂ  視聴者の位置
ｃ  視聴者の位置
ｄ  視聴者の位置
ｅ  視聴者の位置
【図１】
0003107095.tif 000003
【図２】
0003107095.tif 000004
【図３】
0003107095.tif 000005
【図４】
0003107095.tif 000006
【図５】
0003107095.tif 000007
【図６】
0003107095.tif 000008